(57)【要約】      （修正有）【課題】宅配ボックスを屋外に設置しても、施解錠部に雨水が侵入しないような防水構造を備えた屋外用宅配ボックスを提供する。【解決手段】棚板により相互に独立した収納空間１００Ａを形成するように上下又は左右に区画され、各収納空間の前面には開閉自在な扉を設けられ、扉の施錠及び解錠を行なう施解錠部１２Ａを有する屋外用宅配ボックスに関して、施解錠部の周縁及び前面を覆うことができるカバー部１３Ａと、施解錠部の周縁を囲み、かつカバー部が施解錠部を覆う状態ではカバーの内側に配される塀部１４Ａとを設けることによって、施解錠部に対する防水構造を形成している。【選択図】図６
0003223554.tif 000002
【実用新案登録請求の範囲】
【請求項１】
棚板により相互に独立した収納空間を形成するように上下又は左右に区画され、各前記収納空間の前面には開閉自在な扉が設けられ、前記扉の施錠及び解錠を行なう施解錠部を有する屋外用宅配ボックスであって、
前記施解錠部の周縁及び前面を覆うことができるカバー部と、
前記施解錠部の周縁を囲み、かつ前記カバー部が前記施解錠部を覆う状態では前記カバーの内側に配される塀部とを設けることによって、
前記施解錠部に対する防水構造を形成していることを特徴とする屋外用宅配ボックス。
【請求項２】
前記カバー部は、前記扉に対して回動するように蝶番を介して接続されることによって、前記施解錠部の操作面を覆う、又は露出することができる請求項１に記載の屋外用宅配ボックス。
【請求項３】
前記蝶番が回動途中の任意の角度で止まるフリーストップ機能を備えることによって、前記カバー部が風で揺れることのないように設けられている請求項２に記載の屋外用宅配ボックス。
【請求項４】
前記カバー部の裏面に緩衝体が配置されている請求項１乃至３のいずれかに記載の屋外用宅配ボックス。
【請求項５】
前記緩衝体が、高分子多孔質体又は発泡プラスチックである請求項４に記載の屋外用宅配ボックス。
【請求項６】
雨水が前記施解錠部に浸入しないような前記防水構造を形成している請求項１乃至５のいずれかに記載の屋外用宅配ボックス。
【請求項７】
前記施解錠部が電子錠である請求項１乃至６のいずれかに記載の屋外用宅配ボックス。
【請求項８】
前記電子錠が暗証番号式である請求項７に記載の屋外用宅配ボックス。
【考案の詳細な説明】
【技術分野】
【０００１】
本考案は、宅配物を収納空間内に収納して保管する筐体状の宅配ボックスに関し、特に屋外に設置するタイプの宅配ボックスであって、雨が降っても施解錠部内に雨水が侵入しないような防水構造を有する屋外用宅配ボックスに関する。
【背景技術】
【０００２】
近年、集合住宅或いは共同住宅と呼ばれる住宅棟（アパート、マンション等）には、居住者が共同で使用する宅配ボックスが配置されることが多くなっている。通常、このような宅配ボックスは、住宅棟の居住者が使用し易く、管理人が監視し易いように、玄関ホールに配置されている。また、このような宅配ボックスは、複数の区画された収納空間（収納室）から構成されており、宅配業者等が、宅配ボックスの複数の収納室中から、空いている収納室を選んでその収納室に荷物を入れるようになっている。一方、収納室の側方にはダイヤル錠が配設されており、収納室が空の場合には配達しに来た宅配業者は、収納室の扉を開けて荷物を中に入れる。そして、施解錠部（例えば、ダイヤル錠）で所定の数列の暗証番号を入力して施錠した後、配達伝票の空欄に宅配ボックスの扉番号と暗証番号を記入してポスト等に投函しておく。配達先の入居者は、ポストに投函された配達伝票により自分宛に荷物が来ていることが分かる。そして、入居者は配達伝票の空欄に記入した扉番号のダイヤル錠に暗証番号を入力して扉を開け、収納室から荷物を取り出す。最後に、入居者は荷物を取り出した後は扉を閉める。このような入居者の操作の後、収納室が再び空の初期状態となり、他の居住者宛の荷物を保管することができる。
【０００３】
上述のように従来の宅配ボックスは、住宅棟の玄関ホールに設置されることが多いが、玄関ホールが広い場合は設置には全く問題はない。
【０００４】
しかしながら、玄関ホールに充分なスペースがない場合には、住宅棟の屋外に宅配ボックスは設けられる。
【０００５】
ところが、従来の宅配ボックスは、屋外への設置はほとんど考慮されていないため、雨天時に雨水が内部に浸入して収納物を汚損するばかりでなく、施錠手段（施解錠部）などの故障の原因ともなる。
【０００６】
そこで、特開２０１８−０００７０９号公報（特許文献１）には、宅配ボックスにおいて、収納空間の開口部の構造を工夫することによって、具体的には開口部の外側辺の断面が略Ｌ字形状になるようにすることによって、水が宅配ボックスの外部へ滴下するという宅配ボックスが開示されている。
【０００７】
また、特開２００２−０８５２４６号公報（特許文献２）には、施解錠部の電子機器を多用した宅配ボックスにおいて、扉の施錠・解錠を行なう暗証番号式の施解錠部の故障の原因ともなる雨水が、施解錠部等の内部に浸入しないようにするため、施解錠部、操作入力部、及び表示部それぞれの背面周囲に、防水シールを設けた宅配ボックスが開示されている。
【先行技術文献】
【特許文献】
【０００８】
【特許文献１】特開２０１８−０００７０９号公報
【特許文献２】特開２００２−０８５２４６号公報
【考案の概要】
【考案が解決しようとする課題】
【０００９】
特許文献１に記載された宅配ボックスにおいては、宅配ボックスの収納空間への雨水浸入を防止する構造が設けられているものの、施解錠部への雨水浸入を防止するような構造について、何ら設けられていない。
【００１０】
また、特許文献２に記載された宅配ボックスには、施解錠部の周囲、すなわち施解錠部の背面周囲と、操作入力部の背面周囲と、表示部の背面周囲には、防水シールを施されているものの、施解錠部の正面には何らの防水処理又は防水構造が設けられていない。
【００１１】
このため、施解錠部の正面から施解錠部の内部への雨水の浸入を有効に防止することができないと考えられる。さらに、保護手段（保護カバー等）が施解錠部の正面に設けられていないため、外から加わる力又は衝撃に脆弱であると考えられる。
【００１２】
本考案は上述の点に鑑みなされたものであり、本考案の目的は、宅配ボックスを屋外に設置しても、雨水が、施解錠部に侵入しないような防水構造を配置した屋外用宅配ボックスを提供することにある。
【課題を解決するための手段】
【００１３】
本考案の上記目的は、棚板により相互に独立した収納空間を形成するように上下又は左右に区画され、各前記収納空間の前面には開閉自在な扉が設けられ、前記扉の施錠及び解錠を行なう施解錠部を有する屋外用宅配ボックスに関して、前記施解錠部の周縁及び前面を覆うことができるカバー部と、前記施解錠部の周縁を囲み、かつ前記カバー部が前記施解錠部を覆う状態では前記カバーの内側に配される塀部とを設けることによって、前記施解錠部に対する防水構造を形成していることを特徴とすることにより達成される。
【００１４】
また、本考案の上記目的は、前記カバー部は、前記扉に対して回動するように蝶番を介して接続されることによって、前記施解錠部の操作面を覆う、又は露出することができることにより、或いは前記蝶番が回動途中の任意の角度で止まるフリーストップ機能を備えることによって、前記カバー部が風で揺れることのないように設けられていることにより、或いは前記カバー部の裏面に緩衝体が配置されていることにより、或いは前記緩衝体が、高分子多孔質体又は発泡プラスチックであることにより、或いは雨水が前記施解錠部に浸入しないような前記防水構造を形成していることにより、或いは前記施解錠部が電子錠であることにより、或いは前記電子錠が暗証番号式であることにより、より効果的に達成される。
【考案の効果】
【００１５】
本考案の屋外用宅配ボックスによれば、施解錠部の周囲及び背面を覆うカバー部と、カバー部の内側に前記施解錠部を囲む塀部と、を設けることによって、施解錠部の防水構造を形成しているため、宅配ボックスを屋外に設置して、雨が降った場合でも施解錠部に雨水が侵入することはなく、施解錠部が雨水による故障又は破損を回避することができるという格別の効果を奏する。
【００１６】
さらに、施解錠部の前面を覆おうカバー部が、回動途中の任意の角度で止まるというフリーストップ機能を備える蝶番を介して、扉に設置されることによって、入居者及び宅配業者は、カバー部を把持することなく、施解錠部を片手で安全に操作することができるという格別の効果を奏する。特に、フリーストップ機能を備える蝶番が、カバー部を任意の開閉状態又は開閉角度で静止させることができる。
【図面の簡単な説明】
【００１７】
【図１】本考案に係る屋外用宅配ボックス（第１実施形態）の外観例を示す正面図である。
【図２】本考案に係る屋外用宅配ボックス（第１実施形態）の外観例を示す側面図である。
【図３】本考案に係る屋外用宅配ボックス（第１実施形態）の外観例を示す平面図である。
【図４】本考案に係る屋外用宅配ボックス（第１実施形態）において、扉の表面から収納空間側に凹んだ凹部におけるカバー部及び塀部の様子を示し、施解錠部周辺要部を示す模式図である。
【図５】図４に示される施解錠部周辺要部を切断線Ｘ−Ｘに沿って切断した縦断面図であり、当該施解錠部周辺の縦断面の模式図である。
【図６】図４に示される施解錠部周辺主要部の模式図において、雨水の流れ（矢印）の様子を示す図である。
【図７】本考案に係る屋外用宅配ボックス（第２実施形態）において、カバー部が閉じた状態における、施解錠部周辺の様子を示す模式図である。
【図８】図７に示される施解錠部の略中央を横切るような切断線Ｘ−Ｘに沿って切断した縦断面図であり、施解錠部とカバー部との位置関係を示す模式図である。
【図９】本考案に係る屋外用宅配ボックス（第２実施形態）において、カバー部が施解錠部に対して略４５度開いた状態における、施解錠部周辺の様子を示す模式図である。
【図１０】図９に示される施解錠部の略中央を横切るような切断線Ｘ−Ｘに沿って切断した縦断面図であり、施解錠部とカバー部との位置関係を示す模式図である。
【図１１】本考案に係る屋外用宅配ボックス（第２実施形態）において、カバー部が施解錠部に対して略９０度開いた状態における、施解錠部周辺の様子を示す模式図である。
【図１２】図１１に示される施解錠部の略中央を横切るような切断線Ｘ−Ｘに沿って切断した縦断面図であり、施解錠部とカバー部との位置関係を示す模式図である。
【図１３】本考案に係る屋外用宅配ボックス（第３実施形態）において、扉の表面から収納空間側に凹んだ凹部におけるカバー部、塀部及び緩衝体の様子を示す模式図である。
【図１４】図１３に示される施解錠部周辺要部を切断線Ｘ−Ｘに沿って切断した縦断面図であり、当該施解錠部周辺の縦断面の模式図である。
【考案を実施するための形態】
【００１８】
本考案は、棚板により相互に独立した収納空間を形成するように上下又は左右に区画され、各収納空間の前面には開閉自在な扉を設けられ、扉の施錠及び解錠を行なう施解錠部を有する屋外用宅配ボックスに関して、施解錠部の周縁及び前面を覆うことができるカバー部と、施解錠部の周縁を囲み、かつカバー部が施解錠部を覆う状態ではカバーの内側に配される塀部と、を設けることによって、屋外に設置した場合でも、施解錠部内に雨水が侵入しない防水構造を備えるという格別の効果を奏する。
【００１９】
また、本考案では、回動途中の任意の角度で止まるというフリーストップ機能を備える蝶番を介して、カバー部が扉に設置される。そして、カバー部が施解錠部の前面に配置されて回動することによって、施解錠部を片手で安全に操作することができるという格別の効果を奏する。
【００２０】
以下、図面を参照して本考案の実施形態を説明する。ただし、以下に説明する実施形態は、あくまでも例示であり、以下に明示しない種々の変形や技術の適用を排除する意図はない。即ち、本考案は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２１】
＜第１実施形態＞
まず、本考案の第１実施形態に係る屋外用宅配ボックスについて説明する。
【００２２】
図１は本考案の屋外用宅配ボックス１０の外観例（正面図）を示しており、図２は本考案の屋外用宅配ボックス１０の外観例（側面図）を示しており、図３は本考案の屋外用宅配ボックス１０の外観例（平面図）を示している。
【００２３】
本考案の第１実施形態では、図１に示すように、同じスペースサイズで４つの収納空間１００Ａ、１００Ｂ、１００Ｃ、１００Ｄが設けられている。また、収納空間１００Ａ、１００Ｂ、１００Ｃ、１００Ｄの前面の開口部には、それぞれ開閉可能な扉１１Ａ、１１Ｂ、１１Ｃ、１１Ｄが取り付けられている。また、扉１１Ａ、１１Ｂ、１１Ｃ、１１Ｄの表面には、それぞれ施解錠部１２Ａ、１２Ｂ、１２Ｃ、１２Ｄが取り付けられ、収納空間１００Ａの上に屋根構造１０１が設けられている。さらに、図２に示すように、収納空間１００Ａと１００Ｂとの間、収納空間１００Ｂと１００Ｃとの間、収納空間１００Ｃと１００Ｄとの間は、それぞれ棚板１０２、１０３、１０４で上下に区画されている。
【００２４】
次に、図３は扉１１Ａの開閉状態を示しており、扉１１Ａは蝶番等（図示せず）で開閉可能となっている。図３に示すように、通常は状態Ｘの閉位置で閉まっており、荷物を収納する際或いは荷物を取り出すときに、状態Ｙの開位置にする。
【００２５】
次に、図４は、扉１１Ａの表面から収納空間１００Ａ側に凹んだ凹部空間１１０Ａに施解錠部１２Ａが配置された様子を示している。図４に示すように、最上層の扉１１Ａの表面には、凹部空間１１０Ａが設けられている。そして、施解錠部１２Ａが凹部空間１１０Ａに配置される。さらに、施解錠部１２Ａの周囲及び前面を覆うようにカバー部１３Ａが配置される。そして、カバー部１３Ａは、蝶番（図示せず）で開閉することができるように設置されている。また、塀部１４Ａは、施解錠部１２Ａの周囲の側面を所定の距離だけ離れて囲むように設置されている。
【００２６】
さらに、カバー部１３Ａが閉じた状態では、カバー部１３Ａの内側及び背面（裏面）に塀部１４Ａは配置される。また、施解錠部１２Ａは、サムターン１６Ａを回動することによって、図４に示すように鉤部１５Ａがスライドする。そして、鉤部１５Ａのスライド動作によって、扉１１Ａがロックされ、又は解除される。
【００２７】
次に、図４に示される施解錠部周辺要部を切断線Ｘ−Ｘに沿って切断した当該施解錠部周辺の縦断面の模式図を図５に示す。そして、図５が示すように、施解錠部１２Ａは扉１１Ａに形成された凹部空間１１０Ａ内に嵌め込まれている。さらに、施解錠部１２Ａの上部、下部及び左右側面を囲うように塀部１４Ａが配置されている。
【００２８】
そして、カバー部１３Ａが施解錠部１２Ａ及び塀部１４Ａを覆うように配置されている。以上説明した構造によって、塀部１４Ａは、屋外用宅配ボックス１０の上から流れ込んだ雨水を塀部１４Ａの外側の側面に沿って流す役割を果たす。このような役割によって、塀部１４Ａは雨水が施解錠部１２Ａに浸入することを効果的に防ぐことができる。また、カバー部１３Ａは、施解錠部１２Ａ及び塀部１４Ａの上を覆って、蓋をすることができるように配置される。このようなカバー部１３Ａ及び塀部１４Ａの配置を用いて、施解錠部１２Ａの前面から吹き込む雨水を効果的に防ぐことができる。
【００２９】
次に、図４に示す施解錠部周辺要部の模式図において、雨水の流れ（矢印）の様子を図６に示す。図６が示すように、扉１１Ａにおいて、雨水が塀部１４Ａに沿って流れるため、施解錠部１２Ａに侵入できない。同様に、扉１１Ｂ〜１１Ｄにおいて、雨水がそれぞれ塀部１２Ｇ〜１４Ｇに沿って流れるため、雨水がそれぞれ施解錠部１２Ｂ〜１４Ｂに侵入することはない。
【００３０】
＜第２実施形態＞
次に、本考案の第２実施形態に係る屋外用宅配ボックス２０について、図を用いて説明する。
【００３１】
本考案の第２実施形態に係る屋外用宅配ボックス２０では、回動途中の任意の角度で止まるフリーストップ機能を備える蝶番１７Ａを介して、カバー部１３Ａが扉１１Ａに接続されている点が、本考案の第１実施形態に係る屋外用宅配ボックス１０と相違し、その余の点の構成は略同じである。よって、第１実施形態と共通する構成要素については、同一の符号を付し、その説明を省略する。
【００３２】
本考案の第２実施形態に係る屋外用宅配ボックス２０において、カバー部１３Ａが閉じた状態における、施解錠部１２Ａの周辺の様子を示す模式図を図７に示す。図７に示される施解錠部１２Ａの略中央を横切るような切断線Ｘ−Ｘに沿って切断した縦断面図を図８に示す。そして、図８はカバー部１３Ａが施解錠部１２Ａを覆うような位置関係を示す模式図である。
【００３３】
同様に、カバー部１３Ａが施解錠部１２Ａに対して略４５度開いた状態における施解錠部１２Ａの周辺の様子を示す模式図が図９である。また、カバー部が施解錠部に対して略９０度開いた状態における、施解錠部１２Ａの周辺の様子を示す模式図が図１１である。
【００３４】
同様に、図９に示される施解錠部１２Ａの略中央を横切るような切断線Ｘ−Ｘに沿って切断した縦断面図を図１０に示す。そして、図１０はカバー部１３Ａが跳ね上がり施解錠部１２Ａが露出するような位置関係を示す模式図である。また、図１１に示される施解錠部１２Ａの略中央を横切るような切断線Ｘ−Ｘに沿って切断した縦断面図を図１２に示す。そして、図１２はカバー部１３Ａが充分に跳ね上がることで、施解錠部１２Ａを充分に操作できるように露出したような位置関係を示す模式図である。
【００３５】
図１０及び図１２が示すように、蝶番１７Ａにフリーストップ機能を備えることによって蝶番１７Ａが回動途中の任意の角度で止まるため、すなわちカバー部１３Ａが開閉の途中で止まるような機能を、本考案の第２実施形態に係る屋外用宅配ボックス２０は有する。
【００３６】
このため、居住者及び宅配業者等は、片手だけを用いても施解錠部１２Ａを操作することができるという格別の効果を奏する。そして、蝶番１７Ａが回動途中の任意の角度で止まるため、カバー部１３Ａが風で揺れることのないように設けられているので、安全かつ負担なく施解錠部１２Ａを操作することができるという格別の効果を奏する。
【００３７】
＜第３実施形態＞
次に、本考案の第３実施形態に係る屋外用宅配ボックス３０では、カバー部の裏面に緩衝体１８Ａが配置されている点が、本考案の第１実施形態及び第２実施形態に係る屋外用宅配ボックス１０及び２０と相違し、その余の点の構成は略同じである。よって、第１実施形態及び第２実施形態と共通する構成要素については、同一の符号を付し、その説明を省略する。
【００３８】
本考案に係る屋外用宅配ボックス（第３実施形態）３０において、扉の表面から収納空間側に凹んだ凹部空間に施解錠部が配置された施解錠部周辺の主要部の様子を示す模式図を図１３に示す。図１３に示される施解錠部周辺要部を切断線Ｘ−Ｘに沿って切断した縦断面図であり、当該施解錠部周辺の主要部縦断面の内部構造の模式図を図１４に示す。図１３及び図１４が示すように、カバー部の裏面に例えば、高分子多孔質体の緩衝体１８Ａ又は発泡プラスチックの緩衝体１８Ａが配置されている。
【００３９】
そして、緩衝体１８Ａがカバー部１３Ａの裏面に配置されていることにより、雨水が施解錠部１２Ａに一層浸入できないような防水構造が形成されている。
【００４０】
なお、収納空間１００Ａと同様に、収納空間１００Ｂ、１００Ｃ、１００Ｄには、それぞれ扉１１Ｂ、１１Ｃ、１１Ｄ、施解錠部１２Ｂ、１２Ｃ、１２Ｄ（図示せず）、凹部空間１１０Ｂ、１１０Ｃ、１１０Ｄ（図示せず）、カバー部１３Ｂ、１３Ｃ、１３Ｄ（図示せず）、塀部１４Ｂ、１４Ｃ、１４Ｄ（図示せず）、鉤部１５Ｂ、１５Ｃ、１５Ｄ（図示せず）、サムターン１６Ｂ、１６Ｃ、１６Ｄ（図示せず）、蝶番１７Ｂ、１７Ｃ、１７Ｄ（図示せず）、緩衝体１８Ｂ、１８Ｃ、１８Ｄ（図示せず）を備えているが、それらは、施解錠部１２Ａに対する防水構造に関して説明したと同様の作用及び効果を生ずるように配置されている。
【００４１】
以上、実施例を用いて本考案の実施形態について説明したが、各実施例は、好ましい一例を示したものであり、同様な効果と特徴を有する他の構造又は構成は、本考案の範疇である。そして、本考案は上記実施例に何ら限定されるものではなく、本考案の要旨を逸脱しない範囲内において、様々な変更をなし得ることはいうまでもない。
【００４２】
例えば、本考案の実施形態に係る屋外用宅配ボックスにおいて、カバー部１３Ａは、水平方向を軸として、上下方向に回動するような例を示したが、垂直方向又は水平方向を軸としない方向に回動するようにしても良い。
【００４３】
また、カバー部１３Ａの裏面には、防水構造の補強として、緩衝体１８Ａを配置したが、緩衝体に関して、例えば、発泡体、スポンジ、ゲル、親水コロイド、厚い不織材、織材又は編み材の布を含むものであって、防水効果が期待できる部材ならば、任意の材質及び形状を自由に採用又は選択することができる。さらに、カバー部１３Ａの裏面に配置されて防水効果が期待できる部材ならば、緩衝体である必要はなく、任意の材質及び形状を自由に採用又は選択することができる。
【００４４】
また、本考案の実施形態に係る屋外用宅配ボックスにおいて、カバー部１３Ａが、回動途中の任意の角度で、又は段階的に止まるようなフリーストップ機能を有する蝶番を採用する例を示したが、フリーストップ機能を有する蝶番に限定される必要はなく、回動途中の任意の角度で止まるような機構又は仕組みであれば、蝶番に代わるどのような部材でもよい。
【００４５】
例えば、カバー部１３Ａを扉に対して、水平方向を軸として、上下方向に不連続又は段階的に回動するような部材、例えば「角度調節金具」又は「鋼製フリーストップ機構付トルクステー」を、蝶番に代えて採用又は選択しても良い。なお、「鋼製フリーストップ機構付トルクステー」に関して、金属板の摩擦力を利用してトルクを発生させるディスク構造を採用し、筐体内の空間を有効利用し、任意の位置で扉を保持できるようなフリーストップ機構付きの可動パーツである。さらに、水平方向及び垂直方向を軸として、上下方向及び左右方向に不連続又は段階的に回動するような部材、例えば、「２軸フリーストップヒンジ」を採用又は選択しても良い。
【００４６】
また、本発明の実施形態に係る屋外用宅配ボックスにおいて、施解錠部１２Ａ、１２Ｂ、１２Ｃ、１２Ｄは、機械錠、例えばシリンダー錠でも良い。そして、このような機械錠に代えて鍵が模倣されないようにしてセキュリティ性を向上するようにした各種の電子錠でも良い。さらに、電子錠に関しては電気式、電波式、光学式のいずれの電子錠を用いても良い。例えば、本実施形態では詳細は説明していないが、本発明の実施形態に係る屋外用宅配ボックスにおいて、特許文献２で説明されているような施錠／開錠機構が設けても良い。
【産業上の利用可能性】
【００４７】
本考案は居住者の戸建住宅、マンション等の集合住宅、オフィス・ビル等から利用者が荷物を直接発送できると共に、宅配業者或は酒店やクリーニング店等のサービス業者からの配達物を収納できる屋外用宅配ボックスに関するものである。
【符号の説明】
【００４８】
１０、２０、３０・・・・・・・・・・・・・・屋外用宅配ボックス
１１Ａ、１１Ｂ、１１Ｃ、１１Ｄ・・・・・・・扉
１２Ａ、１２Ｂ、１２Ｃ、１２Ｄ・・・・・・・施解錠部
１３Ａ、１３Ｂ、１３Ｃ、１３Ｄ・・・・・・・カバー部
１４Ａ、１４Ｂ、１４Ｃ、１４Ｄ・・・・・・・塀部
１５Ａ、１５Ｂ、１５Ｃ、１５Ｄ・・・・・・・鉤部
１６Ａ、１６Ｂ、１６Ｃ、１６Ｄ・・・・・・・サムターン
１７Ａ、１７Ｂ、１７Ｃ、１７Ｄ・・・・・・・蝶番
１８Ａ、１８Ｂ、１８Ｃ、１８Ｄ・・・・・・・緩衝体
１００Ａ、１００Ｂ、１００Ｃ、１００Ｄ・・・収納空間
１０１・・・・・・・・・・・・・・・・・・・屋根構造
１０２、１０３、１０４・・・・・・・・・・・棚板
１１０Ａ、１１０Ｂ、１１０Ｃ、１１０Ｄ・・・凹部空間
【図１】
0003223554.tif 000003
【図２】
0003223554.tif 000004
【図３】
0003223554.tif 000005
【図４】
0003223554.tif 000006
【図５】
0003223554.tif 000007
【図６】
0003223554.tif 000008
【図７】
0003223554.tif 000009
【図８】
0003223554.tif 000010
【図９】
0003223554.tif 000011
【図１０】
0003223554.tif 000012
【図１１】
0003223554.tif 000013
【図１２】
0003223554.tif 000014
【図１３】
0003223554.tif 000015
【図１４】
0003223554.tif 000016